(57)【要約】【課題】本発明は、ハウジング、上部アセンブリー、及び下部アセンブリーの間で組立公差を吸収することができる電磁開閉装置を提供するためのものである。【解決手段】本発明による電磁開閉装置のハウジングは、開口部を有する電磁開閉装置のハウジングであって、上板部、前記上板部と離隔して下方に位置する底板部、前記上板部と前記底板部に各々結合され、開口部に向ける対向部、及び前記開口部に向けて延びる公差吸収バーを含む。【選択図】図３
2014157805.tif 000002
【特許請求の範囲】
【請求項１】
開口部を有するハウジングと、前記ハウジングの内部に収容される上部アセンブリーと、前記ハウジングの内部に収容され、前記上部アセンブリーの下部に結合される下部アセンブリーとを含む電磁開閉装置であって、
前記ハウジングは、
上板部と、
前記上板部から下方に延びる側板部と、
前記側板部の下端に結合される底板部と、
一側面に形成される開口部と、
前記側板部のうち、前記開口部に向ける対向部と、
前記上板部から下方に離隔して位置し、弾性変形可能な公差吸収バーと、
を含むことを特徴とする電磁開閉装置。
【請求項２】
前記公差吸収バーは、一端が上板部または対向部のうち、いずれか１つ以上に結合され、他端は開口部に向けて延びる、請求項１に記載の電磁開閉装置。
【請求項３】
前記公差吸収バーは、弾性変形可能なカンティレバーである、請求項２に記載の電磁開閉装置。
【請求項４】
前記上板部、前記底板部、前記側板部、及び前記公差吸収バーは、全て一体に形成される、請求項１に記載の電磁開閉装置。
【請求項５】
前記上部アセンブリーのケースには前記公差吸収バーにより押圧される圧着部が備えられ、
前記圧着部は対向部側に行くほど下方に傾斜する傾斜面を含む、請求項４に記載の電磁開閉装置。
【請求項６】
前記圧着部は、前記傾斜面の前方から水平に延びる水平面をさらに含む、請求項５に記載の電磁開閉装置。
【請求項７】
前記上部アセンブリーのケース前端には上方に向けて突出する突出部が備えられる、請求項６に記載の電磁開閉装置。
【請求項８】
前記上部アセンブリーの上面は、前記突出部の後方で前記上板部と離隔する、請求項７に記載の電磁開閉装置。
【請求項９】
前記公差吸収バーは一端が上板部に結合され、
他端は開口部に向けて延びる、請求項８に記載の電磁開閉装置。
【発明の詳細な説明】
【技術分野】
【０００１】
本発明は電磁開閉装置に関し、より詳しくは、組立時に発生する結合公差を吸収して組立精度を向上させる電磁開閉装置に関する。
【背景技術】
【０００２】
電磁開閉装置は、電気的な中継作用をする電動式スイッチ装置であって、一般的に小さい入力電流の変化によって主回路を通電または遮断する接続変換装置をいう。電磁開閉装置では、電磁気力により接点が動いて電流の開閉操作が可能になる。
【０００３】
図１及び図２は従来の電磁開閉装置を示す図であって、電磁開閉装置は、ハウジング１０、前記ハウジング１０の内部に収容される上部アセンブリー２０、及び下部アセンブリー３０を含む。
【０００４】
前記ハウジング１０は、略四角形の上板１１及び底板１３と、その間を連結する３個の側板１２を含む。この際、側板１２は３個のみ備えられるので、ハウジングの一側面に開口部が形成される。
【０００５】
前記上部アセンブリー２０は、ケース２１、及びケースの外側に突出する上部端子２２を含んで構成される。
【０００６】
前記下部アセンブリー３０は、ケース３１、前記ケース３１の外側に突出する下部端子３２、前記下部端子３２を通じて電流が印加されるコイル３３、前記コイル３３の内側に備えられる固定コア３４、前記固定コア３４の内側に備えられる可動コア３５、及び前記可動コアと共に上下往復動するシャフト３６を含む。
【０００７】
したがって、コイル３３に電源が供給または遮断されることによって、可動コア３５及びシャフト３６が上下に往復動し、シャフト３６に結合された可動接点が前記上部アセンブリー２０に備えられた固定接点と接触及び離隔を繰り返すようになる。
【０００８】
このような従来の電磁開閉装置の組立方法を見ると、まず上部アセンブリー２０と下部アセンブリー３０とを上下に結合させた後、その外側にハウジング１０を嵌め込んだ後、ハウジング１０の開口縁部にエポキシ（epoxy）などを塗布してシーリングする。
【０００９】
このような組立過程で、前記上部アセンブリー２０または下部アセンブリー３０の上下の高さが少し高まる組立公差が発生する場合、前記上部アセンブリー２０のケース２１の上面がハウジングの上板１１を上に押し上げて、シーリングしなければならない開口部の縁部に隙間が生じるようになる。
【００１０】
したがって、シーリング過程で供給されるエポキシなどが広がった隙間を通じてハウジング１０の内部に流入して、不良率を高める原因の１つとなっている。
【発明の概要】
【発明が解決しようとする課題】
【００１１】
本発明は前記のような問題を解決するために、ハウジング、上部アセンブリー、及び下部アセンブリーの間で組立公差を吸収することができる構造を提供することを目的とする。
【課題を解決するための手段】
【００１２】
本発明の一実施形態による電磁開閉装置は、開口部を有するハウジングと、前記ハウジングの内部に収容される上部アセンブリーと、前記ハウジングの内部に収容され、前記上部アセンブリーの下部に結合される下部アセンブリーを含む電磁開閉装置であって、前記ハウジングは、上板部と、前記上板部から下方に延びる側板部と、前記側板部の下端に結合される底板部と、一側面に形成される開口部と、前記側板部のうち、前記開口部に向ける対向部と、前記上板部から下方に離隔して位置し、弾性変形可能な公差吸収バーとを含む。
【００１３】
前記公差吸収バーは、一端が対向部に結合され、他端は開口部に向けて延びることができる。
【００１４】
また、前記公差吸収バーは、弾性変形可能なカンティレバーでありうる。
【００１５】
また、前記上板部、前記底板部、前記側板部、及び前記公差吸収バーは、全て一体に形成できる。
【００１６】
また、前記公差吸収バーは、一端が上板部に結合され、他端は開口部に向けて延びることができる。
【００１７】
また、前記上部アセンブリーのケースには前記公差吸収バーにより押圧される圧着部が備えられ、前記圧着部は対向部の方に行くほど下方に傾斜する傾斜面を含むことができる。
【００１８】
また、前記圧着部は、前記傾斜面の前方から水平に延びる水平面をさらに含むことができる。
【００１９】
また、前記上部アセンブリーのケースの前端には上方に向けて突出する突出部が備えられることができる。
【発明の効果】
【００２０】
本発明によれば、電磁開閉装置の組立過程で発生できる組立公差が吸収されて、不良率を低下させ、耐久性を高めるようになる。
【図面の簡単な説明】
【００２１】
【図１】従来の電磁開閉装置を示す分離斜視図である。
【図２】図１の従来の電磁開閉装置の側断面図である。
【図３】本発明の一実施形態による電磁開閉装置の内部を示す透視図である。
【図４】本発明の一実施形態によるハウジングを示す斜視図である。
【発明を実施するための形態】
【００２２】
以下、添付図面を参照して、本発明の一実施形態による電磁開閉装置の構成を詳細に説明する。
【００２３】
図３は本発明の一実施形態による電磁開閉装置の内部を示す透視図であり、図４は本発明の一実施形態によるハウジングを示す斜視図である。
【００２４】
本発明の一実施形態による電磁開閉装置は、ハウジング１００、前記ハウジング１００の内部に配置される上部アセンブリー２００、及び下部アセンブリー３００を含む。
【００２５】
前記ハウジング１００は、略一側面が開口された直六面体形状をしている。
【００２６】
したがって、前記ハウジング１００は、略四角形の上板部１１０と、前記上板部１１０の縁から下方に延びる３個の側板部１３０、１３０ａと、前記３個の側板部１３０、１３０ａの下端と結合され、前記上板部１１０に対応する形状を有する底板部１２０を含む。
【００２７】
前記ハウジング１００の側板部１３０、１３０ａのうち、開口部に対向する側板部を対向部１３０ａという。
【００２８】
前記対向部１３０ａには公差吸収バー１４０が結合される。前記公差吸収バー１４０は後段が固定され、前端は自由なカンティレバーとして理解できる。前記公差吸収バー１４０は後端が前記対向部１３０ａに結合され、前端が開口部に向けて延びて、弾性変形可能に形成される。
【００２９】
本実施形態を説明するに当たって、前方とは開口部が形成された方向をいい、後方とは上部アセンブリー２００及び下部アセンブリー３００が挿入されて入る方向、即ち対向部１３０ａの方の方向として定義する。
【００３０】
一方、前記公差吸収バー１４０の後端は必ず対向部１３０ａのみに固定されるものではなく、上板部１１０及び対向部１３０ａ両方ともに結合することもでき、上板部１１０のみに結合することもできる。図３では公差吸収バー１４０の後端がハウジング１００の上板部１１０及び対向部１３０ａ両方ともから突出した部位に固定されている。
【００３１】
この場合、公差吸収バー１４０の後端が結合される部分が前方に向いていると、公差吸収バー１４０の後端が対向部１３０ａに結合されたと理解することができ、公差吸収バー１４０の後端が結合される部分が下方に向いていると、公差吸収バー１４０の後端が上板部に結合されたと理解できる。
【００３２】
したがって、図３では、公差吸収バー１４０の後端が対向部１３０ａと略平行に前方に向いた面に固定されているので、これは対向部１３０ａに固定されたと理解することができる。
【００３３】
前記公差吸収バー１４０は、上板部１１０、側板部１３０、１３０ａ、及び底板部１２０と共に一体に形成することができ、プラスチックなどの弾性変形可能な素材からなることができる。
【００３４】
一方、前記上部アセンブリー２００は、ケース２１０、前記ケース２１０の外側に突出する上部端子２２０、及び前記ケース２１０の内部に収容される多くの構成要素を含む。
【００３５】
前記ケース２１０の上部には、前記公差吸収バー１４０により下方に圧着される圧着部２１０が備えられる。
【００３６】
前記圧着部２１０は、略水平に延びる水平面２１２、及び前記水平面の後端に備えられ、後方に行くほど徐々に下方に向けて傾斜する傾斜面２１１を含む。
【００３７】
前記傾斜面２１１が存在することによって、前記上部アセンブリー２００が後方に押圧されて移動する場合、前記公差吸収バー１４０の前端が前記傾斜面２１１の上を滑りながら弾性変形されて上方に撓むようになる。
【００３８】
一方、前記ケースは、前端から上部にさらに突出した突出部２４０を備える。
【００３９】
前記突出部２４０の後方には前記ハウジング１００の上板部１１０と前記ケース２１０の上面との間に離隔した空間が形成される。
【００４０】
この離隔した空間が組立公差を吸収するので、組立公差によりハウジング１００の上板部が上に押されて上がって開口部に隙間が生じることを防止することができる。
【００４１】
一方、前記上部アセンブリー２００には前記上部端子２２０と電気的に連結される固定接点２３０が備えられる。
【００４２】
以下、下部アセンブリーの構成を説明する。
【００４３】
前記下部アセンブリーは、コイル３１０、前記コイルと電気的に連結される下部端子３２０、及び可動接点３３０を含み、前記下部端子３２０を通じて電源が供給または遮断される場合、可動接点３３０が上下に往復動し、前記固定接点１３０との接触及び分離を繰り返すようになる。
【００４４】
この際、前記固定接点１３０を上下に往復動させるための下部アセンブリーの構成及び原理は、一般的な電磁開閉装置の下部アセンブリーの構成及び原理のうち、いずれか１つを採用可能なものであるので、これに対する詳細な説明は省略する。
【００４５】
以下、前記のような構成を有する電磁開閉装置の組立方法を説明する。
【００４６】
まず、上部アセンブリー２００と下部アセンブリー３００とを上下に結合させた後、その外部にハウジング１００を嵌める。
【００４７】
この過程で、ハウジング１００の開口部を通じてその内部に挿入される上部アセンブリー２００の圧着部２１０は、先に傾斜面２１１が公差吸収バー１４０の前端と接触するようになる。
【００４８】
そして、上部アセンブリー２００が後方に相対移動して挿入されることによって、公差吸収バー１４０が前記傾斜面２１１の上を滑り過ぎて、水平面２１２の上部に位置するようになる。
【００４９】
この過程で、前記公差吸収バー１４０は上部に弾性変形されているので、元来の位置に戻ろうとする復原力により前記上部アセンブリーを下方に押圧するようになる。
【００５０】
したがって、組立公差が発生して前記上部アセンブリー２００の組み立てられた高さが多少高くなっても、前記公差吸収バー１４０によりその公差が吸収されるので、ハウジング１００の上板部１１０が上方に押圧されて浮き上がる現象が発生しない。
【００５１】
一方、前記上部アセンブリー２００及び下部アセンブリー３００を最後まで押し入れると、前記上部アセンブリー２００の前端の突出部２４０とハウジング１００の上板部１１０の前端がほぼ接するか、極めて小さい距離だけ離隔する。
【００５２】
この状態で、ハウジング１００の開口縁部にエポキシなどのシーリング部材を注入して、上部アセンブリー２００及び下部アセンブリー３００とハウジング１００との間の隙間が発生しないようにシーリングを行う。
【００５３】
以上の説明は、本発明の技術思想を例示的に説明したことに過ぎないものであって、本発明が属する技術分野で通常の知識を有する者であれば本発明の本質的な特性から外れない範囲で多様な修正及び変形が可能である。
【００５４】
したがって、本発明に開示された実施形態は本発明の技術思想を限定するためのものでなく、説明するためのものであり、このような実施形態により本発明の技術思想の範囲が限定されるものではない。
【００５５】
本発明の保護範囲は以下の請求範囲により解釈されなければならず、それと同等な範囲内にある全ての技術思想は本発明の権利範囲に含まれるものと解釈されるべきである。
【符号の説明】
【００５６】
１００    ハウジング
１１０    上板部
１２０    底板部
１３０    側板部
１３０ａ    対向部
１４０    公差吸収バー
２００    上部アセンブリー
２１０    圧着部
２１１    傾斜面
２１２    水平面
２２０    上部端子
２３０    固定接点
２４０    突出部
３００    下部アセンブリー
３１０    コイル
３２０    下部端子
３３０    可動接点
【図１】
2014157805.tif 000003
【図２】
2014157805.tif 000004
【図３】
2014157805.tif 000005
【図４】
2014157805.tif 000006